(57)【要約】【課題】  副搬送波を使用して複数のサブチャネルを送信する電気通信システムにおいてサブチャネルに副搬送波を割り当てる。【解決手段】  マルチユーザ通信システムにおいて、各サブチャネルごとの品質測定値を使用してサブチャネルに副搬送波を割り当てる。初期副搬送波を各サブチャネルと測定された品質計量値（quality metric）に割り当てる。各サブチャネルごとの品質測定値に応じて次の副搬送波を割り当てる。最も低い品質測定値を有するサブチャネルが最初の割り当てを受け、最も高い品質測定値を有するサブチャネルが最後の割り当てを受ける。その後の割り当ては、サブチャネル品質測定値を再びソートした後、すべての副搬送波が割り当てられるまで繰り返される。【選択図】図４
2008532338.tif 000002
【特許請求の範囲】
【請求項１】
複数のサブキャリアを使用して複数のサブチャネルを送信する電気通信システムにおいてサブチャネルに複数のサブキャリアを割り当てる方法であって、
ａ）関連付けられた複数のサブチャネルをそれぞれ有する複数の空間チャネルを定義するステップと、
各空間チャネルごとに、
ｂ）各サブチャネルに初期サブキャリアを割り当てるステップと、
ｃ）サブチャネルのそれぞれの品質測定値を検出するステップと、
ｄ）サブチャネルのそれぞれの品質測定値によって決定された順序で、空間チャネルと関連付けられたサブチャネルのそれぞれにさらに他のサブキャリアを割り当てるステップと、
ｅ）すべてのサブキャリアが割り当てられるまで、ステップｃ）とステップｄ）を繰り返すステップとを含む方法。
【請求項２】
電気通信システムが少なくとも１つの送信機アンテナを有し、空間チャネルの数が送信機アンテナの数と関連する、請求項１に記載の方法。
【請求項３】
空間チャネルの数が、送信機アンテナの数と等しい、請求項２に記載の方法。
【請求項４】
電気通信システムが少なくとも１台の受信機アンテナを有し、空間チャネルの数が受信機アンテナの数と関連する、請求項１に記載の方法。
【請求項５】
空間チャネルの数が、受信機アンテナの数と等しい、請求項４に記載の方法。
【請求項６】
電気通信システムがそれぞれ、複数の送信機アンテナと受信機アンテナを有する、請求項１に記載の方法。
【請求項７】
空間チャネルの数が、送信機アンテナの数と受信機アンテナの数の少ない方と等しい、請求項６に記載の方法。
【請求項８】
空間チャネルの数が、送信機アンテナの数と受信機アンテナの数の積と等しい、請求項６に記載の方法。
【請求項９】
それぞれの品質測定値を検出するステップが、複数の空間チャネルのサブセット全体にわたる各サブチャネルの品質測定値を検出するステップを含む、請求項１から８のいずれか１項に記載の方法。
【請求項１０】
それぞれの品質測定値を検出するステップが、すべての空間チャネルの全体にわたり各サブチャネルの検出する品質測定値を含む、請求項１から９のいずれか１項に記載の方法。
【請求項１１】
それぞれの品質測定値を検出するステップが、空間チャネルのうちの予め選択された空間チャネルの各サブチャネルの品質測定値を検出するステップを含む、請求項１から１０のいずれか１項に記載の方法。
【請求項１２】
サブチャネルに割り当てられたサブキャリアが、すべての空間チャネルで同じである、請求項１から１１のいずれか１項に記載の方法。
【請求項１３】
サブチャネルの品質測定値が、すべての空間チャネルの全体にわたる当該サブチャネルの最大チャネル利得と関連する、請求項１２に記載の方法。
【請求項１４】
サブチャネルの品質測定値が、すべての空間チャネルの全体にわたる当該サブチャネルの平均チャネル利得と関連する、請求項１２に記載の方法。
【請求項１５】
サブチャネルのそれぞれの品質測定値を検出するステップが、サブチャネル品質測定値を示すフィードバックデータを受け取るステップを含む、請求項１から１４のいずれか１項に記載の方法。
【請求項１６】
電気通信システムが、ワイヤレス通信システムである、請求項１から１５のいずれか１項に記載の方法。
【請求項１７】
電気通信システムが、無線周波数電気通信システムである、請求項１から１６のいずれか１項に記載の方法。
【請求項１８】
無線周波数電気通信システムが、直交周波数分割多重接続（ＯＦＤＭＡ）システムである、請求項１７に記載の方法。
【請求項１９】
割り当てが、電気通信システムの送信機端末によって実行される、請求項１から１８のいずれか１項に記載の方法。
【請求項２０】
割り当てが、電気通信システムの少なくとも１台の受信機端末によって実行される、請求項１から１９のいずれか１項に記載の方法。
【請求項２１】
品質測定値が、出力レベル測定値である、請求項１から２０のいずれか１項に記載の方法。
【請求項２２】
品質測定値が、ＳＩＮＲ（信号対干渉雑音比）である、請求項１から１２のいずれか１項あるいは請求項１５から２１のいずれか１項に記載の方法。
【請求項２３】
複数のサブキャリアをそれぞれのサブキャリア周波数で使用する電気通信システムにおいて送信機端末から少なくとも１台の受信機端末にデータを送信する方法であって、
複数のサブチャネルのそれぞれにサブキャリアを割り当てるステップと、
少なくとも１つのサブチャネルを１つ或いは各々の受信機端末に割り当てるステップと、
各受信機端末に割り当てられたそれぞれのサブチャネル上で送信機端末から１つ或いは各々の受信機端末にデータを送信するステップとを含み、
それぞれの複数のサブチャネルにサブキャリアを割り当てるステップが、請求項１から２２のいずれか１項に記載の方法を使用する方法。
【請求項２４】
電気通信システムであって、
複数のサブキャリアが割り当てられたサブチャネル上で送信される信号を、少なくとも１台の受信機端末に送信するように動作可能な送信機端末と、
送信機端末からサブチャネル通信を受信するように動作可能な少なくとも１台の受信機端末と、
サブチャネルにサブキャリアを割り当て、サブチャネルを受信機端末に割り当てるように動作可能な割り当てユニットとを含み、割り当てユニットが、
ａ）関連付けられた複数のサブチャネルをそれぞれ有する空間チャネルの数を定義し、
１つ或いは各々の空間チャネルごとに、
ｂ）各サブチャネルに初期サブキャリアを割り当て、
ｃ）サブチャンルのそれぞれの品質測定値を検出し、
ｄ）さらに他のサブキャリアを、サブチャンルのそれぞれの品質測定値によって決定された順序で、空間チャネルと関連付けられた各サブチャネルに割り当て、
ｅ）品質測定値の検出とその後のサブキャリアの割り当てを、すべてのサブキャリアが割り当てられるまで繰り返すように動作可能な電気通信システム。
【請求項２５】
少なくとも１つの送信機アンテナを有し、空間チャネルの数が送信機アンテナの数と関連する、請求項２４に記載のシステム。
【請求項２６】
空間チャネルの数が、送信機アンテナの数と等しい、請求項２５に記載のシステム。
【請求項２７】
少なくとも１つの受信機アンテナを有し、空間チャネルの数が受信機アンテナの数と関連する、請求項２４に記載のシステム。
【請求項２８】
空間チャネンルの数が、受信機アンテナの数と等しい、請求項２７に記載のシステム。
【請求項２９】
複数の送信機アンテナと受信機アンテナをそれぞれ有する、請求項２４に記載のシステム。
【請求項３０】
空間チャネルの数が、送信機アンテナの数と受信機アンテナの数の少ない方と等しい、請求項２９に記載のシステム。
【請求項３１】
空間チャネルの数が、送信機アンテナの数と受信機アンテナの数の積に等しい、請求項２９に記載のシステム。
【請求項３２】
割り当てユニットが、複数の空間チャネルのサブセット全体にわたり各サブチャネルの品質測定値を検出するように動作可能な請求項２４から３１のいずれか１項に記載のシステム。
【請求項３３】
割り当てユニットが、すべての空間チャネルの全体にわたり各サブチャネルの品質測定値を検出するように動作可能な請求項２４から３１のいずれか１項に記載のシステム。
【請求項３４】
割り当てユニットが、空間チャネルのうちの予め選択された１つの空間チャネルの各サブチャネルの品質測定値を検出するように動作可能な請求項２４から３１のいずれか１項に記載のシステム。
【請求項３５】
割り当てユニットが、すべての空間チャネルのサブチャネルに同じサブキャリアを割り当てるように動作可能な請求項２４から３４のいずれか１項に記載のシステム。
【請求項３６】
サブチャネルの品質測定値が、すべての空間チャネルの全体にわたる当該サブチャネルの最大チャネル利得と関連する、請求項３５に記載のシステム。
【請求項３７】
サブチャネルの品質測定値が、すべての割り当ての組全体にわたる当該サブチャネルの平均チャネル利得と関連する、請求項３５に記載のシステム。
【請求項３８】
割り当てユニットが、サブチャネル品質測定値を示すフィードバックデータを受け取るように動作可能な請求項２４から３７のいずれか１項に記載のシステム。
【請求項３９】
電気通信システムが、ワイヤレス通信システムである、請求２４項から３８のいずれか１項に記載のシステム。
【請求項４０】
電気通信システムが、無線周波数電気通信システムである、請求項２４から３９のいずれか１項に記載のシステム。
【請求項４１】
無線周波数電気通信システムが、直交周波数分割多重接続（ＯＦＤＭＡ）システムである、請求項４０に記載のシステム。
【請求項４２】
割り当てユニットが、送信機端末によって提供される、請求項２４から４１のいずれか１項に記載のシステム。
【請求項４３】
割り当てユニットが、少なくとも１台の受信機端末のうちの少なくとも１台によって提供される、請求項２４から４１のいずれか１項に記載のシステム。
【請求項４４】
品質測定値が、出力レベル測定値である、請求項２４から４３のいずれか１項に記載のシステム。
【請求項４５】
品質測定値が、ＳＩＮＲ（信号対混信雑音比）である、請求項２４から３０のいずれか１項または請求項３３から４４のいずれか１項に記載のシステム。
【請求項４６】
送信機端末が、
少なくとも１つのサブチャネルを各受信機端末に割り当て、
当該受信機端末に割り当てられたサブチャネル上で1つ或いは各々の受信機端にデータを送信するように動作可能な請求項２４から４５のいずれか１項に記載のシステム。
【請求項４７】
電気通信システムの送信機端末であって、
複数のサブキャリアが割り当てられたサブチャネル上で少なくとも１台の受信機端末に信号を送信するように動作可能な送信ユニットと、
サブチャネルに複数のサブキャリアを割り当てかつ受信機端末にサブチャネルを割り当てるように動作可能な割り当てユニットであって、割り当てユニットが、
ａ）関連付けられた複数のサブチャネルをそれぞれ有する空間チャネルの数を定義し、
１つ或いは各々の空間チャネルごとに、
ｂ）各サブチャネルに初期サブキャリアを割り当て、
ｃ）サブチャネルの品質測定値をそれぞれ検出し、
ｄ）サブチャネルのそれぞれの品質測定値によって決定された順序で、さらに他のサブキャリアを空間チャネルと関連付けられた各サブチャネルに割り当て、
ｅ）品質測定値の検出とその後のサブキャリアの割り当てを、すべてのサブキャリアが割り当てられるまで繰り返すように動作可能な送信機端末。
【請求項４８】
少なくとも１つの送信機アンテナを有し、空間チャネルの数が、送信機アンテナの数と関連する、請求項４７に記載の端末。
【請求項４９】
空間チャネルの数が、送信機アンテナの数と等しい、請求項４８に記載の端末。
【請求項５０】
空間チャネルの数が、受信機アンテナの数と関連する、請求項４７に記載の端末。
【請求項５１】
空間チャネルの数が、受信機アンテナの数と等しい、請求項５０に記載の端末。
【請求項５２】
複数の送信アンテナを含む、請求項４７に記載の端末。
【請求項５３】
空間チャネルの数が、送信機アンテナの数と受信機アンテナの数の少ない方と等しい、請求項５２に記載の端末。
【請求項５４】
空間チャネルの数が、送信機アンテナの数と受信機アンテナの数の積に等しい、請求項５２に記載の端末。
【請求項５５】
割り当てユニットが、複数の空間チャネルのサブセット全体にわたる各サブチャネルの品質測定値を検出するように動作可能な請求項４７から５４のいずれか１項に記載の端末。
【請求項５６】
割り当てユニットが、すべての空間チャネルの全体にわたる各サブチャネルの品質測定値を検出するように動作可能な請求項４７から５４のいずれか１項に記載の端末。
【請求項５７】
割り当てユニットが、空間チャネルのうちの予め選択された１つの空間チャネルの各サブチャネルの品質測定値を検出するように動作可能な請求項４７から５４のいずれか１項に記載の端末。
【請求項５８】
割り当てユニットが、すべての空間チャネルのサブチャネルに同じサブキャリアを割り当てるように動作可能な請求項４７から５７のいずれか１項に記載の端末。
【請求項５９】
サブチャネルの品質測定値が、すべての空間チャネルの全体にわたる当該サブチャネルの最大チャネル利得と関連する、請求項５８に記載の端末。
【請求項６０】
サブチャネルの品質測定値が、すべての空間チャネルの全体にわたる当該サブチャネルの平均チャネル利得と関係する、請求項５８に記載の端末。
【請求項６１】
割り当てユニットが、サブチャネル品質測定値を示すフィードバックデータを受け取るように動作可能な請求項４７から６０のいずれか１項に記載の端末。
【請求項６２】
電気通信システムが、ワイヤレス通信システムである、請求項４７から６１のいずれか１項に記載の端末。
【請求項６３】
電気通信システムが、無線周波数電気通信システムである、請求項４７から６２のいずれか１項に記載の端末。
【請求項６４】
無線周波数電気通信システムが、直交周波数分割多元接続（ＯＦＤＭＡ）システムである、請求項６３に記載の端末。
【請求項６５】
品質測定値が、出力レベル測定値である、請求項４７から６４のいずれか１項に記載の端末。
【請求項６６】
品質測定値が、ＳＩＮＲ（信号対干渉雑音比）である、請求項４７から５３のいずれか１項または請求項５６から６５のいずれか１項に記載の端末。
【請求項６７】
送信機端末が、
少なくとも１つのサブチャネルを受信機端末に割り当て、
前記受信機端末に、前記受信機端末に割り当てられたサブチャネル上でデータを送信するように動作可能な請求項４７から６６のいずれか１項に記載の端末。
【発明の詳細な説明】
【技術分野】
【０００１】
本発明は、通信システムに関し、詳細には符号化ＯＦＤＭＡ（直交周波数分割多重接続）無線周波数通信システムにおける動的マルチユーザサブキャリア波割り当てに関する。
【背景技術】
【０００２】
周波数選択性フェージングチャネルでは、様々なサブキャリアがそれぞれ異なるチャネル利得を受ける。これまで検討されているＯＦＤＭ（直交周波数分割多重）ＴＤＭＡ（時分割多重接続）システムでは、各ユーザはすべてのサブキャリアで同時に送信し、ユーザはチャネルを時間で共用する。チャネルが送信機に完全に分かっている場合は、データ転送速度を最大にするにはいわゆる「water-filling」方式（すなわち、チャネル利得が高いときに出力が高く、チャネル利得が低いときに出力が低い）が最適であることが分かっている。単一ユーザＯＦＤＭシステムにおける送信出力割り当てを使用することによるデータ転送速度の向上は、スペクトルダイバーシティ効果によるものである。
【０００３】
ＯＦＤＭＡ（直交周波数分割多重接続）システムでは、ユーザは、利用可能なサブキャリアの（一般に、相互排他的な）サブセットで送信することにより、チャネルを時間ではなく周波数で共用する。１組のサブキャリアをサブチャネルにグループ化することができ、このサブチャネルがユーザに割り当てられる。やはり注水原理が適用されるが、サブキャリアを共用することにより、多重接続のためのシステム資源の割り当ての自由度が向上する。従って、ＯＦＤＭＡまたはマルチユーザＯＦＤＭシステムにおけるサブキャリアおよび出力割り当ての問題の様々な解決策を考慮する必要がある。複数のユーザが同じ場所にいる可能性はほとんどないので、様々なユーザからの信号は個別のフェージングを受ける可能性が高い。したがって、同じサブキャリアのすべてのユーザの信号に著しいフェージングが生じる可能性はきわめて低い。マルチユーザＯＦＤＭシステムでは、マルチユーザダイバーシティを利用することによりデータ転送速度を高めることができる。
【０００４】
ＯＦＤＭＡにおいて、ユーザが同じサブキャリアを共用するとき起こる干渉を回避することが望ましい。一般に、あるユーザにあるサブキャリアが割り当てられると、他のユーザはそのサブキャリアを使用することができない。従って、最適な解決策は、（単一ユーザシステムのように）選択された単一ユーザに最適なサブキャリアが割り当てられるとは限らない。これは、例えば、あるユーザの最適なサブキャリアが、偶然に他の適切なサブキャリアを持たない別のユーザに最適なサブキャリアである可能性があるからである。従って、他の手法を検討しなければならない。
【０００５】
以上のように、ＯＦＤＭＡシステムは、割り当てることができる複数のサブキャリアがあるので自由度を高めることができ、利用すべきはその特性である。ＯＦＤＭＡは、マルチユーザの状況とよく調和し、したがって、あるユーザにとって低品質のサブキャリアが別のユーザにとって高品質のサブキャリアになることができ、従ってそのサブキャリアを割り当てることができる。サブキャリアを適応的に割り当てることによって、様々な場所にいるユーザ間でチャネルダイバーシティを利用することができる。この「マルチユーザダイバーシティ」は、ユーザの個別の経路損失とフェージングを含むチャネルダイバーシティに由来する。これまで検討された解決策では、ＯＦＤＭＡシステムに可能なサブキャリアおよび出力割り当てアルゴリズムが提案された。例えば、W. Rhee, J.M. Cioffiによる「Increase in capacity of multi-user OFDM system using dynamic subchannel allocation」Vehicular Technology Conference Proceedings, 2000, IEEE 51st, Volume: 2, 15-18 May 2000, Pag:1085-1089と、J.Jang, K. Bok Leeによる「Transmit Power Adaptation for Multi-user OFDM Systems」IEEE Journal on Selected Areas in Communications, Volume: 21, Issue: 2, February 2003, Page: 171-178を参照されたい。
【０００６】
複数の送信機および／または受信機アンテナを使用すると、導入される複雑さのレベルが高くなる。そのような複数のアンテナシステムは、ＭＩＭＯ（multiple input multiple output）システムとして知られる。すべてのシステム、特に複数アンテナシステムにおいて、各送信機アンテナと各受信機アンテナ間の通信経路を考慮することが重要である。そのような通信経路は、マルチパスフェージング効果と混同するのを回避するために、以下の説明では「通信リンク」と呼ばれる。通信リンクとは、単に、送信機アンテナと受信機アンテナ間の直接接続のことである。例えば、単一アンテナシステムでは、送信機と受信機の間に１つの通信リンクがある。送信機１台に２つの送信機アンテナがあり受信機１台に２つの受信機アンテナがある複数アンテナの例では、通信リンクは４つになる。
【０００７】
空間ダイバーシティを提供しかつＭＩＭＯ機能を高めるために、２つの送信機アンテナ用に時間空間ブロック符号化（ＳＴＢＣ）アルゴリズムが提案された。例えば、B.Vuceticによる「Space-Time Codes for High Speed Wireless, Communications」 King’s College, London, November 2001と、A.F/Magiob, N.Seshadri, A.R.Calderbankによる「Increasing data rate over wireless  channels」Signal Processing Magazine Vol.17 No.3, May 2000, pp.76-92と、Naofal Al-Dhahirによる「A New High-Rate Differential Space-Time Block Coding Scheme」IEEE Communications Letters, Vol.7, No.11, November 2003と、Siavash M. Alamoutiによる「A Simple Transmit Diversity Technique for Wireless Communications」IEEE Journal On Select Areas In Communications, Vol.16, No.8, October 1998とを参照されたい。
【０００８】
図１は、無線周波数電気通信システムのチャネルダイバーシティを示す。基地局１は、移動受信機２１と２２に信号を送信する働きをする。建物３などの障害物によって、基地局１と移動ユーザ２１、２２との間の伝送が複数の経路４１と４２をとることがある。この現象は周知であり、マルチパスダイバーシティとして知られる。移動受信機に到達する信号は、経路の異なる長さとその経路で生じる反射によって、利得が周波数の関数として変化する。すなわち、様々なユーザがそれぞれサブキャリアごとに異なる利得値を受け取る。図１では、分かりやすくするために、基地局と移動受信機にはそれぞれ１つのアンテナが示されている。しかしながら、送信機と受信機に任意の数のアンテナを使用できることは容易に理解されよう。
【０００９】
図２は、複数アンテナＯＦＤＭまたはＯＦＤＭＡシステムに使用するに適した基地局を示す。基地局１０は、複数のユーザからエンコーダ１０２にデータ入力Ｕ1，Ｕ2．．．ＵKを受け取る。エンコーダ１０２は、これらのユーザデータ信号Ｕ1〜ＵKを、それぞれの組のサブキャリアＣ1,1，Ｃ1,2 ... Ｃ1,N，Ｃ2,1，Ｃ2,2 ...Ｃ2,Nに符号化する。図２に示した例では、２つの送信機アンテナであるので、符号化によって２組のサブキャリアが定義されることになる。
【００１０】
コントローラ１０８は、サブキャリアＣ1〜ＣNの組をユーザＵ1〜ＵKに割り当てるようにエンコーダ１０２を制御する。送信機の各アンテナは送信機変換装置１０４を備え、送信機変換装置１０４は、関連付けられたアンテナ用のサブキャリア信号の組を取得し、逆高速フーリエ変換（ＩＦＦＴ）と並列直列変換を適用して、直列出力データストリームを生成する働きをする。このデータストリームは、出力装置１０６に送られ、１台の出力装置１０６の各アンテナに提供され、循環プレフィクスを追加し、関連付けられたアンテナ２０から送信するためにデジタル信号をアナログ信号に変換する。
【００１１】
コントローラ１０８は、各ユーザのチャネルサブキャリア性能を示すフィードバック信号ｆ1〜ｆKを受け取る。コントローラ１０８は、制御信号１１０を制御チャネル上で移動受信機に送る。
【００１２】
図３は、ＯＦＤＭシステムに使用するのに適した受信機を示す。各ユーザは、ユーザ受信機４０に接続された少なくとも１つの受信アンテナ３０を有する。ユーザ受信機４０は、各受信機アンテナごとに入力装置４０２を備え、この入力装置４０２は、関連付けられた受信機アンテナから来る信号のアナログデジタル変換を実行し、基地局送信機によって追加された循環プレフィクスを除去する。次に、デジタル信号は、受信機変換装置４０４（この場合も受信機アンテナ１つにつき１台）によって処理され、高速フーリエ変換（ＦＦＴ）と直列並列変換を適用して、関係するアンテナ用に１組のサブキャリア信号Ｃ1〜ＣNを生成する。各アンテナの入力装置と変換装置の組み合わせによって、１組のサブキャリア信号が生成される。そのような組のサブキャリア信号は、サブキャリアセレクタ４０６によって受け取られ、サブキャリアセレクタ４０６は、受け取った制御信号４１０に応じて、所与のユーザＫに適切なサブキャリアを選択する。選択されたサブキャリアは、このユーザＫに関するデータ信号を復号するデコーダ４０８に送られ、デコーダ４０８は、ユーザＫ用の出力信号ＤKを作成する。
【００１３】
次に、図２の基地局と図３の受信機の動作を詳細に説明する。
【００１４】
基地局１０にあるコントローラ１０８は、すべてのユーザからの所定のチャネルフィードバック情報を有し、サブキャリア割り当てアルゴリズムに従って各ユーザにサブキャリアを割り当てる。送信機においてＣＳＩ（Channel State Information：チャネル状態情報）が利用可能なとき、送信機は、チャネルのフェージング特性がシンボル（またはパケット）の持続時間中一定であると想定すると、ユーザにサブキャリアを割り当て、また送信出力をシンボルごと（またはパケットごと）に適応させてデータ転送速度を高めることができる。
【００１５】
説明した以前の１つの解決策において、RheeとCioffiは、各サブキャリアが、そのサブキャリアに適したチャネル利得を有するユーザに割り当てられるので、サブキャリア間で異なる出力割り当てが不要であることを示した。従って、このアルゴリズムは、すべてのユーザ用に最適なサブキャリアを見つけ等しい出力を割り当てるだけでよく、これにより実施態様の複雑さが減少する。
【００１６】
説明した以前の他の解決策において、JangとBok Leeは、ユーザがサブキャリアを共用することができる一般的な場合の送信出力割り当て方式とサブキャリア割り当てアルゴリズムを提案している。この場合、特定ユーザの信号の送信出力が高くなると、同じサブキャリア上の他のユーザの信号に対する干渉も大きくなる。しかしながら、数理解析の後、サブキャリアが１人のユーザだけに割り当てられそれにより干渉が生じない場合に性能が最高になることが分かった（このことは、過去と未来のすべての研究の基本前提になった）。RheeとCioffiと同様に、割り当てられたサブキャリア全体にわたってwater-fillng原理を適用しても大きな利得が得られず、計算の複雑さを高めるので、同一出力割り当てが最良の手法であることが分かった。最終的に提案された方式では、あるサブキャリアに最適なチャネル利得を有する１人のユーザだけがそのサブキャリアでデータを送信する（各サブキャリアごとにどのユーザが最適な利得を有するか確認する）。また、マルチユーザダイバーシティがを提供するので、ユーザの数が多いほどデータ転送速度が高くなることが分かった。
【００１７】
JangとBok Leeによって提案された方式では、各サブキャリアの受信平均ＳＮＲが高くなりかつ平均データ転送速度が高くなるが、このアルゴリズムはユーザに公正（公平）ではない。各ユーザに割り当てられるサブキャリアは一定でなく、従って、各ユーザが異なるデータ転送速度を有する可能性がある。さらに、（例えば、ユーザの位置によって）全てのサブキャリアに関して、考慮（検討）される複数ユーザの最適なチャンネル利得を或るユーザが偶然有しない場合、そのユーザにはサブキャリアが全く割り当てられないことになる。
【発明の開示】
【課題解決するための手段】
【００１８】
本発明の１つの態様によれば、複数のサブキャリアを使用して複数のサブチャネルを送信する電気通信システムにおいてサブチャネルに複数のサブキャリアを割り当てる方法であって、ａ）関連付けられたサブチャネルをそれぞれ有する複数かの空間チャネルを定義するステップと、各空間チャネルごとに、ｂ）各サブチャネルに初期送波を割り当てるステップと、ｃ）サブチャネルのそれぞれの品質測定値を検出するステップと、
ｄ）サブチャネルのそれぞれの品質測定値によって決定された順序で、空間チャネルと関連付けられたサブチャネルのそれぞれにさらに他のサブキャリアを割り当てるステップと、ｅ）すべてのサブキャリアが割り当てられるまで、ステップｃ）とステップｄ）を繰り返すステップとを含む方法が提供される。
【００１９】
本発明の別の態様によれば、電気通信システムであって、複数のサブキャリアが割り当てられたサブチャネル上で送信される信号を、少なくとも１台の受信機端末に送信するように動作可能な送信機端末と、送信機端末からサブチャネル通信を受信するように動作可能な少なくとも１台の受信機端末と、サブチャネルにサブキャリアを割り当て、サブチャネルを受信機端末に割り当てるように動作可能な割り当てユニットとを含み、割り当てユニットが、ａ）関連付けられた複数のサブチャネルをそれぞれ有する空間チャネルの数を定義し、１つ或いは各々の空間チャネルごとに、ｂ）各サブチャネルに初期サブキャリアを割り当て、ｃ）サブチャネルのそれぞれの品質測定値を検出し、ｄ）さらに他のサブキャリアを、サブチャネルのそれぞれの品質測定値によって決定された順序で、空間チャネルと関連付けられた各サブチャネルに割り当て、ｅ）品質測定値の検出とその後のサブキャリアの割り当てを、すべてのサブキャリアが割り当てられるまで繰り返すように動作可能な電気通信システムが提供される。
【００２０】
本発明の別の態様によれば、電気通信システムの送信機端末であって、複数のサブキャリアが割り当てられたサブチャネル上で少なくとも１台の受信機端末に信号を送信するように動作可能な送信ユニットと、サブチャネルに複数のサブキャリアを割り当てかつ受信機端末にサブチャネルを割り当てるように動作可能な割り当てユニットであって、割り当てユニットが、ａ）関連付けられた複数のサブチャネルをそれぞれ有する空間チャネルの数を定義し、１つ或いは各々の空間チャネルごとに、ｂ）各サブチャネルに初期サブキャリアを割り当て、ｃ）サブチャネルの品質測定値をそれぞれ検出し、ｄ）サブチャネルのそれぞれの品質測定値によって決定された順序で、さらに他のサブキャリアを空間チャネルと関連付けられた各サブチャネルに割り当て、ｅ）品質測定値の検出とその後のサブキャリアの割り当てを、すべてのサブキャリアが割り当てられるまで繰り返すように動作可能な送信機端末が提供される。
【００２１】
本発明を実施する方法が、無線周波数電気通信システムに特に適用可能であることは容易に理解されよう。また、本発明の原理が、他の通信技術を使用する他の通信システムに適用できることも容易に明らかになるであろう。
【００２２】
前述の実施形態が、本発明を限定するのではなく、当業者が、添付の特許請求の範囲によって定義されるような本発明の範囲を逸脱せずに多くの代替実施形態を設計できることに注意されたい。特許請求の範囲において、かっこ内に記入された参照符号は、特許請求の範囲を限定するように解釈されるべきではない。語句「含む（comprising）」や「含む（comprises）」などは、全体として任意の請求項または明細書に列挙されたもの以外の要素または段階の存在を除外しない。要素の単数形の表す内容は、そのような要素の複数形の表す内容を含み、またこの逆に要素の複数形の表す内容が要素の単数形の表す内容を含む。本発明は、いくつかの別個の要素を含むハードウェアと、適切にプログラムされたコンピュータによって実施することができる。いくつかの手段を列挙する特許請求の範囲において、これらの手段のいくつかは、同一のハードウェアと同一の要素からなるハードウェアによって実施することができる。互いに異なる従属請求項に特定の手段が列挙されているという単なる事実は、それらの手段の組み合わせを有利に使用できないことを示すものではない。
【発明を実施するための最良の形態】
【００２３】
ＯＦＤＭまたはＯＦＤＭＡのシステムでは、マルチパスダイバーシティがある状態で、すべてのサブキャリアは異なる振幅で所与の受信機に到達する。実際には、一部のサブキャリアは、著しいフェージング効果のために完全になくなることがある。そのような場合、全体のビット転送速度と容量は、最小振幅を有する少数のサブキャリアによって決定される（ほとんどのサブキャリアを誤りなく検出できる場合でも）。
【００２４】
この欠点を解消するために、ほとんどのＯＦＤＭまたはＯＦＤＭＡシステムは、チャンネルコーディングを使用する。サブキャリア全体にわたる符号化を使用して、弱いサブキャリアの誤りを訂正することができる。符号化ＯＦＤＭ／ＯＦＤＭＡシステムの性能は、最も弱いサブキャリアの出力ではなく平均受信出力によって決まる。
【００２５】
図４は、本発明を実施する第１の方法を示すフローチャートである。この第１の方法において、送信機と受信機がそれぞれ１つのアンテナを有すると仮定する。
【００２６】
この方法は、サブチャネル品質測定値に関するデータを初期設定することにより始まる（ステップＡ）。例えば、品質測定の初期レベルが０に設定される。ステップＢで、各サブチャネルのそれぞれの初期サブキャリアを見つける。それぞれの初期サブキャリアは、そのユーザに最適なサブキャリア利得を得るために見つけられる。品質測定値は、割り当てられたサブキャリアを反映するために更新され（ステップＣ）、ひとたび（一度）サブキャリアが割り当てられた後、そのサブキャリアは別のサブチャネルへの割り当てに利用できなくなる。ステップＤで、さらに別のサブキャリアが、サブチャネルの品質測定値によって決定されたサブチャネルの順序で、サブチャネルに割り当てられる。例えば、品質測定値としてサブチャネルの出力レベルを使用する場合は、サブチャネルの出力レベルが高い順に割り当てを行うことができる。すべてのサブキャリアが割り当てられたと判断されたとき（ステップＥ）、プロセスは、次のチャネルが変化するまで終了する（ステップＦ）。すべてのサブキャリアがまだ割り当てられていない場合は、すべてのサブキャリアが割り当てられるまで、ステップＣ、ステップＤおよびステップＥが繰り返される。
【００２７】
以下の説明において、Ｐkは、サブチャネル（ユーザ）ｋの平均受信出力を表わす。Ｎは、使用可能なサブキャリア数を表わす。Ｈk,nは、サブキャリアｎとユーザｋのチャネル利得を表わす。以下の例では、サブチャネル（ユーザ）の数が１６であり、サブキャリアの数が７６８であり、また簡単にするために各ユーザに１つのサブチャネルだけが割り当てられると仮定する。複数のサブチャネルを特定ユーザに割り当ててそのユーザの利用可能資源の配分比率を大きくし、同時にサブチャネル間の公平な資源割り当てを維持することができることに注意されたい。本発明を実施する技術は、任意の数のユーザとサブキャリアに適用できることが容易に理解されるであろう。
【００２８】
前述の第１の方法は、以下のようなアルゴリズムで表すことができる（Ｐkは、ユーザｋの品質測定値である）。
【００２９】
１．初期設定（ステップＡ）
すべてのサブチャネル（ｋ＝１〜Ｋ）に関してＰk＝０に設定する。［Ｎ＝｛１，３…，７６８｝（利用可能な副搬送波）
２．１回目（ステップＢ）
すべてのサブチャネルｋ＝１〜Ｋに関して、
ａ）｜ｈk,n｜≧｜ｈk,j｜を満たすサブキャリアｎを見つける。（ｊ∈Ｎのすべてについて）
ｂ）次の式により、ａ）からのｎでＰkとＮを更新する。
Ｐk＝Ｐk＋｜ｈk,n｜2，Ｎ＝Ｎ−[ｎ]
このサブキャリアを利用可能なサブキャリアから取り出す。
３．Ｎ＜＞０の間（すなわち、すべてのサブキャリアが割り当てられるまで）
ａ）サブチャネル品質測定値に従ってサブチャネルをソートする（ステップＣ）。
ｂ）見つけたサブチャネルｋに関して、次の式を満たすサブキャリアｎを見つける（ステップＤ）。
｜ｈk,n｜＞＝｜ｈk,j｜  （ｊ∈Ｎのすべてについて）
ｃ）次の式により、ａ）からのｎでＰkとＮを更新する。
Ｐk＝Ｐk＋｜ｈk,n｜2，Ｎ＝Ｎ−｛ｎ｝
ｄ）すべてのサブチャネルに別のサブキャリアが割り当てられるまで、候補リスト内の次のサブチャネルに進む（ステップＥ）。
【００３０】
以上のアルゴリズムと後述の他のアルゴリズムにおいて、Ｐkは、サブチャネルＫの品質測定値を表わし、Ｎは利用可能サブキャリアを表わし、ｈk,nは、サブキャリアｎのユーザｋのサブキャリア品質を表わす。
【００３１】
図４のフローチャートに関して説明した方法は、単一アンテナの場合のものである。したがって、複数アンテナの場合に対応するように技術を拡張することが望ましい。従って、次に、本発明を実施する第２の方法を示す図５を参照する。この第２の方法は、任意の数のアンテナを備えたシステムに適用可能である。
【００３２】
第２の方法は、第１の方法と同じアルゴリズムを使用するが、そのアルゴリズムを複数回繰り返す。第２の方法では、「空間チャネル」の数が定義されるが、この数の計算は後で説明する。各空間チャネルは、すべてのサブチャネルを含み、またそのようなすべてのサブチャネルのサブキャリアの割り当てを生成するために使用される。アルゴリズムは、すべての空間チャネル内ですべてのサブチャネルがサブキャリアに割り当てられる順序で、定義された各空間チャネルに繰り返される。
【００３３】
空間チャネル数は、任意に選択されてもよく、電気通信システムで使用されるアンテナの数と関連付けられてもよい。例えば、空間チャネルの数は、送信機アンテナの数と等しくてもよく、受信機アンテナの数と等しくてもよく、あるいは送信機アンテナの数と受信機アンテナの数の少ない方と等しくてもよい。代替として、空間チャネルの数は、送信機アンテナと受信機アンテナの数の積と等しくてもよい。空間チャネルの数は、以下で述べる割り当て方法により事前に決定される。
【００３４】
第１の方法が、空間チャネルの数が１である第２の方法の特殊なケースであることが容易に理解されよう。
【００３５】
図５の方法は、サブチャネル品質測定値に関するデータを初期設定することにより始まる（ステップＡ）。例えば、品質測定の初期レベルを０に設定することができる。ステップＢで、第１の空間チャネルの各サブチャネルごとにそれぞれの初期サブキャリアを見つける。それぞれの初期サブキャリアは、当該空間チャネルの当該サブチャネルの最適サブキャリア利得を提供するために見つけられる。ステップＣ１で、プロセスは、次の定義された空間チャネルに移り、ステップＣ２で、品質測定値は、割り当てられたサブキャリアを反映するように更新される。この場合も、ひとたび（一度）サブキャリアが割り当てられた後、そのサブキャリアは、その空間チャネルの別のサブチャネルへの割り当てに利用できなくなる。
【００３６】
ステップＤで、追加のサブキャリアが独立して、サブチャネルの品質測定値によって決定されたサブチャネルの順序に応じて、現行空間チャネルのサブチャネルに割り当てられる。例えば、品質測定値としてサブチャネルの出力レベルを使用する場合は、サブチャネル出力レベルの高い順で割り当てを行うことができる。すべてのサブキャリアが現行空間チャネルに割り当てられたと判定されたとき（ステップＥ１）、プロセスは進んで、すべてのサブキャリアが既にすべての空間チャネルに割り当てられたかどうかを判定する（ステップＥ２）。そのような場合は、プロセスは、次のチャネルが変化するまで終了する（ステップＦ）。現行空間チャネルにすべてのサブキャリアがまだ割り当てられていない場合は、現行空間チャネルにサブキャリアが割り当てられるまで、ステップＣ２、ステップＤおよびステップＥ１が繰り返される。
【００３７】
現行空間チャネルに複数のサブキャリアが割り当てられ終わったとき、ステップＥ２は、プロセスをステップＣ１に戻り、そこで次の空間チャネルが選択され、その結果、ステップＣ２、ステップＤおよびステップＥ１が、サブキャリアをその次の空間チャネルに割り当てる。
【００３８】
空間チャネルの数が送信機アンテナの数と受信機アンテナの数の積と等しい場合に、第２の方法を次のようにアルゴリズム的に説明することができる。
【００３９】
ｍ＝１〜M  （Ｍ＝Ｔｘ×Ｒｘ）の場合
１．初期設定（ステップＡ）
すべてのユーザｋ＝１〜Ｋに関してＰk＝１に設定する。Ｎm＝[1,2,3…768],
ｍ＝[1,2…Ｍ＝Ｔｘ×Ｒｘ]
すべてのユーザｋ＝１〜16に関してＣt,k,s,mに定する。Ｎm＝[1,2,3…768],
ｍ＝｛1,2…M｝
ｓ＝１に設定する。
【００４０】
ＩＩ．メインプロセス
１．１回目（ステップＢ）
ｋ＝１〜Ｋの場合
（ａ）ｊ∈Ｎのすべてについて｜ｈk,n,m｜≧｜ｈk,j,m｜を満たすサブキャリアｎを見つける。
（ｂ）（ａ）からのｎでＰk，Ｎm，Ｃt,k,sを更新する。
【数１】
2008532338.tif 000003
【００４１】
２．Ｎm≠０の間
（ａ）サブチャネルの品質測定値に従ってソートリストを作成する（ステップＣ２）。
次の関係を満たすサブチャネルｋを見つける。
Ｐk≦Ｐi  （すべてのｉについて。１≦ｉ≦ｋ）
（ｂ）サブチャネルｋに関して、次の関係を満たすサブキャリアｎを見つける（ステップＤ）。
｜ｈk,n,m｜≧｜ｈk,j,m｜（ｊ∈Ｎのすべてについて）
（ｃ）次の式に従って（ｂ）からのｎでＰk，Ｎm，およびＣt,k,sを更新する。
【数２】
2008532338.tif 000004
【００４２】
（ｄ）すべてのサブチャネルに別のサブキャリアが割り当てられるまで、ソートリスト内の次のサブチャネルに進む（ステップＥ１）。
ｍ＝Ｍになるまで次の空間チャネルｍに進む（ステップＥ２）。
【００４３】
複数アンテナの応用例の場合、品質測定値を、単一空間チャネル、特定の空間チャネルまたはすべての空間チャネル全体にわたって得ることができる。
【００４４】
図６は、本発明を実施する第３の方法を示す。第３の方法は、前と同じように、品質測定値の初期設定で始まる。第３の方法において、プロセスは次にステップＣに直接進み、第１の空間チャネルの品質測定値を検出する。ステップＤで、サブキャリアは、第１の空間チャネルのサブチャネルに割り当てられ、ステップＥ１で、第１の空間チャネルにすべてのサブキャリアが割り当てられたかどうが確認され判定される。すべてのサブキャリアがまだ割り当てられていない場合は、プロセスは戻り、すべてのサブキャリアが第１の空間チャネルに割り当てられるまでステップＣとステップＤを繰り返す。
【００４５】
ステップＥ２で、第１のチャネルに到達したサブキャリアの割り当ては、プロセスがステップＦで終了するまで、残りの空間チャネルに適用される。
【００４６】
第３の方法の１つの特定の例において、サブチャネルの品質測定値は、すべての空間チャネル全体にわたる当該サブチャネルの最大チャネル利得に関連付けられる。第３の方法の別の例において、サブチャネルの品質測定値は、すべての空間チャネル全体にわたる当該サブチャネルの平均チャネル利得と関連付けられる。代替として、品質測定値は、当該サブチャネルの空間チャネル利得の和に関連することもできる。
【００４７】
最大出力制限を使用する第３の方法は、空間チャネルの数が送信機アンテナの数と受信機アンテナの数の積に等しい場合に、アルゴリズム的に以下のように説明することができる。
【００４８】
１．初期設定（ステップＡ）
すべてのユーザｋ＝１〜16についてＰk＝０に設定するＮm＝[1,2,3…768],
ｍ＝[1,2…Ｍ＝Ｔｘ×Ｒｘ]
すべてのユーザｋ＝１〜16についてＣt,k,s＝０  に設定する。Ｎm＝[1,2,3…768],
ｍ＝｛1.2..M｝
ｓ＝１を設定する。
【００４９】
ＩＩ．メインプロセス
１．１回目（ステップＢ）
ｋ＝１〜Ｋについて
（ａ）ｍ＝１〜Ｍについて
次の関係を満たすすべてのＭ＝Ｔｋ×Ｒｘの空間チャネルのサブキャリアｎを見つける。
｜ｈk,n1,1｜≧｜ｈk,j1,1｜（ｊ1∈Ｎのすべてについて）
｜ｈk,n2,2｜≧｜ｈk,j2,2｜（ｊ2∈Ｎのすべてについて）
｜ｈk,n3,3｜≧｜ｈk,j3,3｜（ｊ3∈Ｎのすべてについて）
｜ｈk,n4,4｜≧｜ｈk,j4,4｜（ｊ4∈Ｎのすべてについて）
（ｂ）（ａ）で得た値の中から極大値を見つける。
ｈk,n,m＝ｍａｘ（｜hk,n1,1|,｜hk,n2,2|,｜hk,n3,3|,｜hk,n4,4|,）
（ｃ）（ｂ）からのｎでＰk，Ｎm，Ｃt,k,sを更新する。
【数３】
2008532338.tif 000005
【００５０】
２．Ｎ≠０の間
（ａ）サブチャネルの品質測定値に従ってソートリストを作成する（段階Ｃ）。
次の関係を満たすサブチャネルｋを見つける。
Ｐk≦Ｐi  （すべてのｉについて。）
（ｂ）（ａ）で得たｋについて
ｍ＝１〜Ｍについて
次の関係を満たすすべてのＭ＝Ｔｘ×Ｒｘの空間チャネルのサブキャリアｎを見つける（段階Ｄ
）。
｜ｈk,n1,1｜≧｜ｈk,j1,1｜（ｊ1∈Ｎのすべてについて）
｜ｈk,n2,2｜≧｜ｈk,j2,2｜（ｊ2∈Ｎのすべてについて）
｜ｈk,n3,3｜≧｜ｈk,j3,3｜（ｊ3∈Ｎのすべてについて）
｜ｈk,n4,4｜≧｜ｈk,j4,4｜（ｊ4∈Ｎのすべてについて）
（ｃ）（ａ）で得た値の中から最大値を見つける。
ｈk,n,m＝ｍａｘ（｜hk,n1,1|,｜hk,n2,2|,｜hk,n3,3|,｜hk,n4,4|,）
（ｃ）（ｂ）からのｎでＰk，Ｎm，Ｃt,k,sを更新する。
【数４】
2008532338.tif 000006
【００５１】
（ｅ）すべてのユーザに別のサブキャリアが割り当てられるまで（ａ）で得たソートリスト内の次のユーザに進む（ステップＥ）。
【００５２】
平均出力レベル測定値を使用する第３の方法は、空間チャネルの数が送信機アンテナの数と受信機アンテナの数の積に等しい場合で、以下のように説明することができる。
【００５３】
Ｉ．初期設定（ステップＡ）
すべてのユーザｋ＝１〜16についてＰk＝０  に設定する。Ｎm＝[1,2,3…768],
ｍ＝｛1.2..M＝Ｔx×Ｒx｝
すべてのユーザｋ＝１〜16についてＣt,k,s＝０  に設定する。Ｎm＝[1,2,3…768],
ｍ＝｛1.2..M｝
ｓ＝１を設定する。
【００５４】
ＩＩ．メインプロセス
１．１回目（ステップＢ）
ｋ＝１〜Ｋについて
【数５】
2008532338.tif 000007
【００５５】
（ｂ）次の関係を満たすサブキャリアｎを見つける。
｜ｈ_avek,n｜≧｜ｈ_avek,j｜（J∈Ｎｍのすべてについて）
（ｃ）次の式に従って（ｂ）からのｎでＰk，Ｎm，Ｃt,k,sを更新する。
【数６】
2008532338.tif 000008
【００５６】
２．Ｎｍ≠０の間
（ａ）サブチャネルの品質測定値に従ってソートリストを作成する（ステップＣ）。
次の関係を満たすユーザｋを見つける。
Ｐk≦Ｐi  （すべてのｉについて。１≦ｊ≦ｋ）
（ｂ）（ａ）で得たｋにより
【数７】
2008532338.tif 000009
【００５７】
（ｃ）（ａ）で見つかったユーザｋに関して、次の関係を満たすサブキャリアｎを見つける。
｜ｈ_avek,n｜≧｜ｈ_avek,j｜（J∈Ｎmのすべてについて）
（ｄ）次の式に従って（ｃ）からのｎでＰk，Ｎm，Ｃt,k,sを更新する。
【数８】
2008532338.tif 000010
【００５８】
（ｅ）すべてのサブチャネルに別のサブキャリアが割り当てられるまで（ａ）で得たソートリスト内の次のサブチャネルに進む。
【００５９】
本発明は、無線電気通信システムに関して記述されているが、本発明の技術と原理が他のシステムにも適用可能であることは容易に理解されよう。
【００６０】
前述の方法のいずれかの方法によるサブチャネルへのサブキャリアの割り当ては、電気通信システムの送信機端末によって実行可能であることは容易に理解されよう。代替として、割り当ては、システムの受信機端末の１台または複数台によって実行することもできる。さらに他の代替として、割り当ては、個別の割り当てユニットによって実行することもでき、あるいは割り当てプロセスをシステムの複数の端末全体にわたって分散させることもできる。
【００６１】
前述のアルゴリズムが決定論的なので、すべての端末がチャネル上の同じ情報にアクセスする場合、それらの端末はすべて同じ結果のアルゴリズムを実施することがある。そのようなシステムでは、すべての端末がチャネルに関する関連情報を有することが必要であり、これは、特に、基地局のない分散制御を使用するネットワークに当てはまる。システム内で利用可能な制御チャネルを使用して各ユーザ端末に情報を提供することができる。
【００６２】
説明した実施形態では出力レベルを品質測定値として使用したが、本発明が任意の品質測定値に適用可能であることは容易に理解されよう。例えば、サブキャリアの割り当ての基準の品質測定値として、出力レベルまたはＳＩＮＲ（信号対干渉雑音比）を使用することができる。他の品質測定値も使用することができる。
【図面の簡単な説明】
【００６３】
【図１】無線電気通信システムにおけるマルチパスダイバーシティを示す図である。
【図２】ＯＦＤＭ無線電気通信システムで使用される基地局送信機を示すブロック図である。
【図３】ＯＦＤＭ無線通信システムで使用される受信機を示すブロック図である。
【図４】本発明を実施する第１の方法の段階を示すフローチャートである。
【図５】本発明を実施する第２の方法の段階を示すフローチャートである。
【図６】本発明を実施する第３の方法の段階を示すフローチャートである。
【符号の説明】
【００６４】
２０1、２０2  アンテナ
１０２  エンコーダ
１０４1、１０４2  送信機変換装置
１０６1、１０６2  出力装置
１０８  コントローラ
【図１】
2008532338.tif 000011
【図２】
2008532338.tif 000012
【図３】
2008532338.tif 000013
【図４】
2008532338.tif 000014
【図５】
2008532338.tif 000015
【図６】
2008532338.tif 000016
【国際調査報告】
2008532338.tif 000017
2008532338.tif 000018